(57)【要約】【課題】より簡素な構成によって、ミスト生成部で生成されたミストが金属微粒子生成部へ到達するのを抑制することが可能な、髪ケア装置を得る。【解決手段】ケース３内で、金属微粒子生成部１０とミスト生成部１１とをいずれも空洞９内に収容し、金属微粒子生成部１０を、ミスト生成部１１で生成されたミストが通過するミスト通過領域Ａｍｉから外して配置した。よって、金属微粒子生成部とミスト生成部とを別個のケースに収容して配置した場合に比べて、より簡素な構成によって、ミストが金属微粒子生成部１０に到達するのを抑制することができる。【選択図】図３
2010125165.tif 000002
【特許請求の範囲】
【請求項１】
ケース内で、金属微粒子を生成する金属微粒子生成部と、ミストを生成するミスト生成部と、を同一空間内に収容した髪ケア装置であって、
前記金属微粒子生成部を、前記ミスト生成部で生成されたミストが通過するミスト通過領域から外して配置したことを特徴とする髪ケア装置。
【請求項２】
前記金属微粒子生成部を、前記ミスト生成部に対して、前記ミスト通過領域でミストが通過する方向と略直交する方向に、離間して配置したことを特徴とする請求項１に記載の髪ケア装置。
【請求項３】
前記髪ケア装置の外壁に、前記金属微粒子生成部で生成された金属微粒子が排出される金属微粒子排出口と前記ミスト生成部で生成されたミストが排出されるミスト排出口とが形成され、
前記金属微粒子生成部を前記金属微粒子排出口に対向させて設け、前記ミスト生成部を前記ミスト排出口に対向させて設けたことを特徴とする請求項１または２に記載の髪ケア装置。
【請求項４】
前記金属微粒子生成部と前記ミスト生成部との間の距離を、前記ミスト生成部と前記カバーとの間の距離より長くしたことを特徴とする請求項３に記載の髪ケア装置。
【請求項５】
前記ケースに、前記外壁として、当該ケースより導電性が低く当該ケースとは別部材としてのカバーを取り付けたことを特徴とする請求項３または４に記載の髪ケア装置。
【請求項６】
前記ミスト生成部で生成されたミストが前記金属微粒子生成部に到達するのを抑制する遮蔽壁を設けたことを特徴とする請求項１〜５のうちいずれか一つに記載の髪ケア装置。
【請求項７】
前記ミスト生成部で生成されたミストが前記金属微粒子生成部に到達するのを抑制する遮蔽壁を設け、
前記カバーと前記遮蔽壁との間を、電気的に絶縁したことを特徴とする請求項５に記載の髪ケア装置。
【請求項８】
前記カバーと前記遮蔽壁との間に間隙を形成することで、それらを電気的に絶縁したことを特徴とする請求項７に記載の髪ケア装置。
【請求項９】
前記遮蔽壁を、前記金属微粒子生成部または前記ミスト生成部をケース内に取り付ける取付部材と一体化させて設けたことを特徴とする請求項６〜８のうちいずれか一つに記載の髪ケア装置。
【請求項１０】
前記髪ケア装置内に、光源と、光源からの光を導光する導光部材と、を設け、
前記導光部材を前記遮蔽壁として構成したことを特徴とする請求項６〜９のうちいずれか一つに記載の髪ケア装置。
【請求項１１】
前記導光部材としての遮蔽壁と、前記金属微粒子生成部または前記ミスト生成部をケース内に取り付ける取付部材に一体化させて設けた第二の遮蔽壁とを、並列に設けたことを特徴とする請求項１０に記載の髪ケア装置。
【発明の詳細な説明】
【技術分野】
【０００１】
本発明は、髪ケア装置に関する。
【背景技術】
【０００２】
従来の髪ケア装置としてのヘアドライヤとして、金属微粒子生成部とミスト生成部を備えたものが知られている（特許文献１）。
【特許文献１】特開２００８−２３０６３号公報
【発明の開示】
【発明が解決しようとする課題】
【０００３】
この種の髪ケア装置では、ミスト生成部で生成したミストが金属微粒子生成部に到達すると、当該金属微粒子生成部で腐食が生じる虞がある。
【０００４】
また、ミスト生成部を、放電によって微粒化した静電霧化機構として構成した場合には、ミストが金属微粒子生成部に到達すると、ミストの電荷によって、金属微粒子生成部における金属微粒子の放出性能が低下する虞もある。
【０００５】
この点、上記特許文献１に開示されるヘアドライヤでは、金属微粒子生成部とミスト生成部とがそれぞれ別個のケース内に収容されているため、ミストは金属微粒子生成部へは到達し難くなっている。
【０００６】
しかしながら、ケースを別個に設けた分、部品点数が増えて、重量増や製造コスト増大の一因となっていた。
【０００７】
そこで、本発明は、より簡素な構成によって、ミスト生成部で生成されたミストが金属微粒子生成部へ到達するのを抑制することが可能な、髪ケア装置を得ることを目的とする。
【課題を解決するための手段】
【０００８】
請求項１の発明にあっては、ケース内で、金属微粒子を生成する金属微粒子生成部と、ミストを生成するミスト生成部と、を同一空間内に収容した髪ケア装置であって、上記金属微粒子生成部を、上記ミスト生成部で生成されたミストが通過するミスト通過領域から外して配置したことを特徴とする。
【０００９】
請求項２の発明にあっては、上記金属微粒子生成部を、上記ミスト生成部に対して、上記ミスト通過領域でミストが通過する方向と略直交する方向に、離間して配置したことを特徴とする。
【００１０】
請求項３の発明にあっては、上記髪ケア装置の外壁に、上記金属微粒子生成部で生成された金属微粒子が排出される金属微粒子排出口と上記ミスト生成部で生成されたミストが排出されるミスト排出口とが形成され、上記金属微粒子生成部を上記金属微粒子排出口に対向させて設け、上記ミスト生成部を上記ミスト排出口に対向させて設けたことを特徴とする。
【００１１】
請求項４の発明にあっては、上記金属微粒子生成部と上記ミスト生成部との間の距離を、上記ミスト生成部と上記カバーとの間の距離より長くしたことを特徴とする。
【００１２】
請求項５の発明にあっては、上記ケースに、上記外壁として、当該ケースより導電性が低く当該ケースとは別部材としてのカバーを取り付けたことを特徴とする。
【００１３】
請求項６の発明にあっては、上記ミスト生成部で生成されたミストが上記金属微粒子生成部に到達するのを抑制する遮蔽壁を設けたことを特徴とする。
【００１４】
請求項７の発明にあっては、上記ミスト生成部で生成されたミストが上記金属微粒子生成部に到達するのを抑制する遮蔽壁を設け、上記カバーと上記遮蔽壁との間を、電気的に絶縁したことを特徴とする。
【００１５】
請求項８の発明にあっては、上記カバーと上記遮蔽壁との間に間隙を形成することで、それらを電気的に絶縁したことを特徴とする。
【００１６】
請求項９の発明にあっては、上記遮蔽壁を、上記金属微粒子生成部または上記ミスト生成部をケース内に取り付ける取付部材と一体化させて設けたことを特徴とする。
【００１７】
請求項１０の発明にあっては、上記髪ケア装置内に、光源と、光源からの光を導光する導光部材と、を設け、上記導光部材を上記遮蔽壁として構成したことを特徴とする。
【００１８】
請求項１１の発明にあっては、上記導光部材としての遮蔽壁と、上記金属微粒子生成部または上記ミスト生成部をケース内に取り付ける取付部材に一体化させて設けた第二の遮蔽壁とを、並列に設けたことを特徴とする。
【発明の効果】
【００１９】
請求項１の発明によれば、金属微粒子生成部とミスト生成部とを別個のケースに収容して配置した場合に比べて、より簡素な構成によって、ミストが金属微粒子生成部に到達するのを抑制することができる。
【００２０】
請求項２の発明によれば、ミスト生成部から放出されてミスト通過領域を流下するミストは、金属微粒子生成部には到達し難くなる。
【００２１】
請求項３の発明によれば、ミスト生成部から放出されたミストがミスト排出口からより速やかに排出されるようになり、その分、当該ミストが金属微粒子生成部に到達し難くなる。また、金属微粒子生成部を金属微粒子排出口に対向させて設けたため、金属微粒子は金属微粒子排出口からより速やかに排出されるようになる。
【００２２】
請求項４の発明によれば、ミスト生成部から放出されたミストはミスト排出口からより一層速やかに排出されるようになり、その分、当該ミストが金属微粒子生成部にさらに到達し難くなる。
【００２３】
請求項５の発明によれば、外壁の帯電によって金属微粒子生成部による金属微粒子の放出性能が低下するのを抑制することができる。
【００２４】
請求項６の発明によれば、遮蔽壁を設けた分、ミストがより一層金属微粒子生成部に到達し難くなる。
【００２５】
請求項７の発明によれば、金属微粒子やミストの電荷がカバーから遮蔽壁に移動して遮蔽壁が帯電し、この帯電によって金属微粒子生成部による金属微粒子の放出性能が低下するのを抑制することができる。
【００２６】
請求項８の発明によれば、カバーと遮蔽壁とを絶縁する構成を極めて簡素な構成として得ることができる。
【００２７】
請求項９の発明によれば、取付部材と遮蔽壁とを共用できる分、これらを別個に設ける場合に比べて構成を簡素化することができる。
【００２８】
請求項１０の発明によれば、導光部材を有する場合に、当該導光部材を有効に利用してミストが金属微粒子生成部に到達するのを抑制することができる。
【００２９】
請求項１１の発明によれば、遮蔽壁を二重に構成できる分、ミストが金属微粒子生成部に到達するのをより一層抑制することができる。
【発明を実施するための最良の形態】
【００３０】
以下、本発明の好適な実施形態について図面を参照しながら説明する。なお、以下の複数の実施形態ならびに変形例には同様の構成要素が含まれている。よって、以下では、それら同様の構成要素に共通の符号を付与するとともに、重複する説明を省略する。
【００３１】
（第１実施形態）図１は、本実施形態にかかる髪ケア装置としてのヘアドライヤの断面図、図２は、ヘアドライヤを出口開口側から見た正面図、図３は、ヘアドライヤの本体部内で金属微粒子生成部とミスト生成部が設けられる部分を拡大して示す平面図である。
【００３２】
本実施形態にかかる髪ケア装置としてのヘアドライヤ１は、使用者が手で握る部分としての把持部１ａと、把持部１ａと交差する方向に結合された本体部１ｂとを備えており、使用時には把持部１ａと本体部１ｂとで略Ｔ字状あるいは略Ｌ字状（本実施形態では略Ｔ字状）の外観を呈するように構成されている。把持部１ａの突出端部からは、電源コード２が引き出されている。また、把持部１ａは、本体部１ｂ側の根元部１ｃと先端部１ｄとに分割されており、これら根元部１ｃと先端部１ｄとが、連結部１ｅを介して回動可能に連結されている。先端部１ｄは、本体部１ｂに沿う位置まで折り畳むことができるようになっている。
【００３３】
ヘアドライヤ１の外壁をなすケース３は、複数の分割体を継ぎ合わせて構成されている。ケース３の内部には空洞が形成されており、この空洞内に、各種電気部品が収容されている。
【００３４】
本体部１ｂの内部には、その長手方向（図１の左右方向）の一方側（右側）の入口開口４ａから出口開口４ｂに至る風洞４が形成されており、この風洞４内に収容されたファン５を回転させることによって空気流Ｗが形成される。すなわち、空気流Ｗは、外部から入口開口４ａを介して風洞４内に流入し、当該風洞４内を通って出口開口４ｂから外部に排出される。
【００３５】
また、本体部１ｂにおいて、ケース３の外筒３ａの内部には、略円筒状の内筒６が設けられており、空気流Ｗはこの内筒６の内側を流れるようになっている。内筒６の内側では、最も上流側にファン５が配置され、その下流側にファン５を駆動するモータ７が配置され、モータ７のさらに下流側に加熱機構としてのヒータ８が配置されている。ヒータ８を作動させたときには、出口開口４ｂから温風が吹き出されることになる。なお、本実施形態では、ヒータ８は、帯状かつ波板状の電気抵抗体を内筒６の内周に沿って巻回して配置したものとして構成されているが、かかる構成には限定されない。
【００３６】
そして、本体部１ｂ内で、ケース３と内筒６との間に形成された空洞９に、金属微粒子生成部１０や、ミスト生成部１１、ミスト生成部１１に電圧を印加する第二の電圧印加回路１２等が収容されている。また、把持部１ａの根元部１ｃ内の空洞１３には、金属微粒子生成部１０に電圧を印加する第一の電圧印加回路１４や、動作モードの切り換え等を行うスイッチ部１５が収容されている。さらに、把持部１ａの先端部１ｄ内の空洞には、電源のＯＮとＯＦＦとの切り換えや動作モードの切り換え等を行う別のスイッチ部１６が収容されている。これら電気部品同士は、金属導体等からなる芯線を絶縁性樹脂等で被覆したリード線１７によって接続されている。なお、スイッチ部１５，１６は、ケース３の表面に露出した操作子１８，１９を操作することで、内部接点の開閉状態を切り換えることができるように構成されている。
【００３７】
第一の電圧印加回路１４および第二の電圧印加回路１２は、図１に示すように、把持部１ａ内、または本体部１ｂ内で把持部１ａの延長線上となる領域に配置するのが好適である。使用者が把持部１ａを持ったときに、第一の電圧印加回路１４および第二の電圧印加回路１２に作用する重力による回転モーメント（のモーメントアーム）を小さくして、使用者の手に作用する負荷を小さくするためである。
【００３８】
また、図１に示すように、本実施形態では、これら第一の電圧印加回路１４および第二の電圧印加回路１２を、内筒６を挟んで相互に反対側となる位置に配置している。すなわち、第一の電圧印加回路１４と第二の電圧印加回路１２との間に内筒６を介在させることで、第一の電圧印加回路１４と第二の電圧印加回路１２との相互干渉による電圧の低下や不安定化等の不具合を抑制している。
【００３９】
内筒６は、筒状部６ａと、筒状部６ａから径方向外側に向けて伸びて周方向に分散して配置された複数の支持リブ６ｂ（図１では一箇所のみ図示）と、支持リブ６ｂを介して筒状部６ａに接続され当該筒状部６ａの軸方向と略直交する方向に張り出すフランジ部６ｃと、を有している。筒状部６ａとフランジ部６ｃとの間には間隙ｇ１が形成されており、この間隙ｇ１を介して空洞９内に空気流Ｗの一部が分岐されて流入し、分岐流Ｗｐが形成されている。なお、分岐流Ｗｐの空洞９内への導入口となる間隙ｇ１は、ファン５の下流でありかつヒータ８の上流側となる位置に設けられている。したがって、分岐流Ｗｐは、ヒータ８によって加熱される前の、比較的冷たい空気流となる。
【００４０】
また、図３に示すように、金属微粒子生成部１０に繋がるリード線１７ａと、ミスト生成部１１に繋がるリード線１７ｂとは、相互に交叉させることなく極力離間させて配索するのが好適である。リード線１７ａ，１７ｂを流れる電流の相互干渉によって、金属微粒子生成部１０あるいはミスト生成部１１で所望の電圧が得られなくなったり、電圧が不安定になったりするのを抑制するためである。本実施形態では、金属微粒子生成部１０をミスト生成部１１に対して内筒６の周方向一方側（図３では上側）に離間して配置するとともに、リード線１７ａを内筒６と外筒３ａとの間で金属微粒子生成部１０に対して内筒６の周方向一方側となる領域に配索し、かつ、リード線１７ｂを内筒６と外筒３ａとの間でミスト生成部１１に対して内筒６の周方向他方側（図３では下側）となる領域に配索している。
【００４１】
ケース３には、図２に示すように、空洞９の出口開口４ｂ側となる位置に、楕円形の貫通孔３ｂが形成されており、この貫通孔３ｂを絶縁性の合成樹脂材料からなるカバー２０で塞いである。カバー２０には、金属微粒子排出口２０ａとミスト排出口２０ｂとが形成されている。カバー２０は、金属微粒子あるいはミストによる帯電を抑制するため、ケース３よりも導電性を低くするのが好適である。カバー２０が帯電すると、その電荷によって、金属微粒子生成部１０やミスト生成部１１から電荷を帯びた金属微粒子やミストが放出されにくくなるからである。なお、この部分では、カバー２０がヘアドライヤ１の外壁を成している。
【００４２】
金属微粒子生成部１０は、導電性を有する金属材料によって形成される放電極１０ａおよびグラウンド電極１０ｂを有しており、これら放電極１０ａとグラウンド電極１０ｂとの間に第一の電圧印加回路１４によって高電圧を印加して放電（コロナ放電等）を生じさせ、その放電作用によって放電極１０ａやグラウンド電極１０ｂ等から金属微粒子（金属の分子やイオン等）を放出させるものである。
【００４３】
この金属微粒子生成部１０は、箱状の筐体１０ｃを備えており、放電極１０ａは、筐体１０ｃ内で、当該筐体１０ｃに固定された基台部（例えばプリント基板等、図示せず）に、例えばはんだ付けやかしめ等によって固定されている。
【００４４】
放電極１０ａは、極細の線材として構成することができ、その幅（直径）を、１０〜４００［μｍ］（好適には３０〜３００［μｍ］、より一層好適には５０〜２００［μｍ］）に設定することができる。その場合、断面形状としては、円形、楕円形、多角形形状等、各種採用することができる。なお、放電極１０ａは、尖端を有する針状に形成してもよい。
【００４５】
グラウンド電極１０ｂは、例えば、放電極１０ａの先端側に離間させて当該放電極１０ａの延伸方向と略直交して配置される環状かつ板状の部材として設けることができる。
【００４６】
また、放電極１０ａは、例えば、遷移金属（例えば、金、銀、銅、白金、亜鉛、チタン、ロジウム、パラジウム、イリジウム、ルテニウム、オスミウム等）の単体、合金、あるいは遷移金属をメッキ処理した部材等として構成することができる。金属微粒子生成部１０で生成され放出された金属の微粒子に、金や、銀、銅、亜鉛等が含まれている場合、当該金属の微粒子によって抗菌作用を生じさせることができる。また、金属の微粒子に、白金、亜鉛、チタン等が含まれている場合、当該金属の微粒子によって抗酸化作用を生じさせることができる。なお、白金の微粒子は、抗酸化作用が極めて高いことが判明している。なお、金属微粒子の放出をさせない部分（例えばグラウンド電極１０ｂ等）は、ステンレススチールや、タングステン等を用いて構成することができる。
【００４７】
また、金属微粒子生成部１０は、放電作用によってイオン（例えばマイナスイオン、例えばＮＯ２−、ＮＯ３−等）を生じさせ、このイオンを、放電極１０ａや、グラウンド電極１０ｂ、他の金属材料や金属成分を含む部材等に衝突させることで、金属微粒子を生成するものであってもよい。すなわち、グラウンド電極１０ｂや上記他の部材を、上記遷移金属を含む材料によって構成し、これらから金属微粒子を放出させるようにしてもよい。
【００４８】
ミスト生成部１１は、導電性を有する金属材料によって形成される放電極１１ａおよびグラウンド電極１１ｂを有しており、これら放電極１１ａとグラウンド電極１１ｂとの間に第二の電圧印加回路１２によって高電圧を印加することで放電（コロナ放電等）を生じさせるものである。具体的には、例えば、放電極１１ａは針状に形成し、グラウンド電極１１ｂは放電極１１ａの先端側に離間配置した環状かつ板状の部材として形成することができる。また、ミスト生成部１１は、冷却機構としてのペルチェ素子（図示せず）および熱伝導性を有する部材（例えば金属部材等）からなる冷却板１１ｃとを含んでおり、ペルチェ素子によって冷却された冷却板１１ｃの表面に空気中の水分を結露させ、結露水を生じるようになっている。かかる構成では、供給された水、すなわち結露水が、放電作用によって微粒化され、ナノメータサイズの非常に細かいミスト（マイナスイオンを含むマイナスに帯電されたミスト）が生成される。本実施形態では、ペルチェ素子および冷却板１１ｃが水供給部に相当する。
【００４９】
本実施形態では、金属微粒子生成部１０およびミスト生成部１１ともに、イオンを発生させるイオン発生部に相当するものである。なお、ミスト生成部としては、水を加熱してスチームを発生させるスチーム発生機構を搭載してもよいし、金属微粒子生成部としては、金属の溶液を霧化して金属微粒子を生成する金属溶液霧化機構を搭載してもよい。
【００５０】
また、本実施形態では、図２に示すように、金属微粒子排出口２０ａを、ミスト排出口２０ｂより小さく形成してある。すなわち、ミスト排出口２０ｂを介してのミスト生成部１１のメンテナンスや状態の確認等をより容易に行わせるとともに、金属微粒子排出口２０ａを介しての手指や、道具、異物等の誤進入を抑制してある。
【００５１】
さらに、本実施形態にかかるヘアドライヤ１は、発光部２１を備えている。発光部２１は、空洞９内に配置されたＬＥＤ（発光ダイオード）等の光源２１ａと、光源２１ａの光を導光するアクリル等の透光性を有する合成樹脂材料で形成される導光部材２１ｂと、を有している。図２に示すように、カバー２０の、金属微粒子排出口２０ａとミスト排出口２０ｂとの間には、縦長の長円状の孔２０ｃが形成されており、導光部材２１ｂの光源２１ａと反対側の出射端部２１ｃが、この孔２０ｃに嵌挿されて、カバー２０の外に露出している。したがって、光源２１ａの光は導光部材２１ｂによって導光され、出射端部２１ｃからカバー２０の外に出射される。かかる構成では、ヘアドライヤ１の使用時には、出射端部２１ｃが使用者の頭部に対向して配置されることになる。
【００５２】
この発光部２１は、ヘアドライヤ１の動作モードの表示手段として利用することができる。例えば、ヒータ８を使用していて温風が吹き出されている状態では赤色、ヒータ８を使用せず冷風が吹き出されている状態では緑色、金属微粒子生成部１０が稼動していて金属微粒子が放出されている状態では黄色、ミスト生成部１１が稼動していてミストが放出されている状態では青色、など、動作状態に応じて色を変化させるようにすることができる。この場合、例えば第二の電圧印加回路１２等と同じ基板上に実装された制御回路（図示せず）が各部の動作状態に応じて光源２１ａの発光を制御することができる。この場合、各色に対応する光源２１ａが複数実装され、制御回路がこれら複数の光源２１ａの発光を制御することになる。なお、制御回路によって光源２１ａを点滅させたり、その点滅間隔を制御したり、発光強度を変化させたりすることも可能であり、これら発光形態を、種々の動作モードに対応づけて設定することも可能である。
【００５３】
また、発光部２１からの光によって、人体に所定の効果を与えることも可能である。例えば、光源２１ａとして波長４１５［ｎｍ］の高輝度ＬＥＤを用いた場合には、当該光源２１ａから出射される青色光により、細菌の破壊による殺菌効果や、毛孔の縮小や皮脂の分泌低下等によるざ瘡（にきび）の予防効果などが得られることが確認されている。また、光源２１ａとして波長６３０［ｎｍ］程度の高輝度ＬＥＤを用いた場合には、当該光源２１ａから出射される赤色光により、血行促進、血管新生による新陳代謝の活性、コラーゲンやエラスチンの生成を促進するなどの効果が得られることが確認されている。さらに、赤色光の照射回数を重ねた場合には、小じわ、しみ、くすみ、開大毛孔などの光老化皮膚やざ瘡後の瘢痕の改善に有効であることが確認されている。なお、これらの効果は、人によって異なるものとなる。
【００５４】
さらに、発光部２１を、金属微粒子生成部１０あるいはミスト生成部１１を照らす照射手段として利用することができる。こうすれば、金属微粒子生成部１０やミスト生成部１１の状態を視認しやすくなるとともに、掃除等のメンテナンスを行う場合にも視認性が高まって作業効率が向上するという効果が得られる。
【００５５】
上述したように、本実施形態にかかる髪ケア装置としてのヘアドライヤ１は、金属微粒子生成部１０およびミスト生成部１１を同じ空洞９内に収容しているのであるが、ミスト生成部１１で生じたミストが金属微粒子生成部１０に到達すると、金属微粒子生成部１０が帯電して電圧や電界が変化して金属微粒子の生成が不安定化したり、金属微粒子生成部１０の金属部分が水分によって腐食したりする虞がある。
【００５６】
そこで、本実施形態では、金属微粒子生成部１０を、ミスト生成部１１で生成されたミストが通過するミスト通過領域Ａｍｉから外して配置してある。具体的には、図３に示すように、金属微粒子生成部１０を、ミスト生成部１１に対して、ミスト通過領域Ａｍｉでミストが通過する方向Ｄｐと略直交する方向Ｄｎに、離間して配置してある。ミストは、ミスト生成部１１から方向Ｄｐに向けて流出するため、ミスト生成部１１に対して当該方向Ｄｐと直交する方向Ｄｎに配置される金属微粒子生成部１０には到達し難くなる。したがって、かかる構成により、金属微粒子生成部１０は、ミスト生成部１１から流出したミストによる影響を受け難くなる。
【００５７】
また、本実施形態では、空洞９内では、金属微粒子生成部１０を、金属微粒子排出口２０ａに比較的近い位置で、当該金属微粒子排出口２０ａに対向させて配置し、ミスト生成部１１を、ミスト排出口２０ｂに比較的近い位置で、当該ミスト排出口２０ｂに対向させて配置している。さらに、ミスト生成部１１とカバー２０との距離Ｄ１を、ミスト生成部１１と金属微粒子生成部１０との距離Ｄ２より短くしてある。さらに、空洞９内では、間隙ｇ１から流入した分岐流Ｗｐは、金属微粒子排出口２０ａおよびミスト排出口２０ｂから外部に排出される。
【００５８】
したがって、本実施形態では、金属微粒子生成部１０で生成された金属微粒子は、比較的スムーズに金属微粒子排出口２０ａから排出されるとともに、ミスト生成部１１で生成されたミストは、比較的スムーズにミスト排出口２０ｂから排出される。すなわち、金属微粒子生成部１０で生成された金属微粒子はミスト生成部１１側には流れにくく、かつミスト生成部１１で生成されたミストは金属微粒子生成部１０側には流れにくい構成となっている。なお、分岐流Ｗｐは、金属微粒子およびミストの排出に貢献しているが、分岐流Ｗｐが無い場合でも、金属微粒子およびミストは対応する排出口２０ａ，２０ｂから排出される。
【００５９】
さらに、本実施形態では、空洞９内に遮蔽壁を設けることで、ミストが金属微粒子生成部１０に到達するのをより一層確実に抑制している。本実施形態では、導光部材２１ｂと、金属微粒子生成部１０を内筒６に取り付ける取付部材６ｄとを、遮蔽壁として利用している。
【００６０】
導光部材２１ｂは、板状に形成され、その厚み方向が内筒６の周方向に沿う姿勢で、金属微粒子生成部１０の放出端部側（図３の左側）とミスト生成部１１の放出端部側との間に配置されており、空洞９内で、金属微粒子通過領域（すなわち金属微粒子生成部１０に対して図３の左側の領域）Ａｍｅ側と、ミスト通過領域（すなわちミスト生成部１１に対して図３の左側の領域）Ａｍｉ側とを区画する遮蔽壁となっている。
【００６１】
取付部材６ｄは、内筒６の筒状部６ａから径外方向に向けて突設されており、金属微粒子生成部１０を内筒６に取り付ける部材である。そして、金属微粒子生成部１０側から金属微粒子排出口２０ａ側に向けて延びる遮蔽壁部６ｅを有している。この遮蔽壁部６ｅは、取付部材６ｄに設けられているため必然的に金属微粒子生成部１０に近接して配置されることとなり、比較的小さな構成でミストが金属微粒子生成部１０側に到達するのを効率よく抑制することができる。
【００６２】
また、取付部材６ｄの遮蔽壁部６ｅとカバー２０との間には間隙ｇ２を設け、カバー２０に滞留した電荷が遮蔽壁部６ｅを介して金属微粒子生成部１０側へ到来して金属微粒子生成部１０における金属微粒子の生成を阻害するのを抑制してある。なお、間隙ｇ２を設けるのに替えて、取付部材６ｄとカバー２０との間に導電性の低いあるいは絶縁性の部材を介在させてもよい。
【００６３】
そして、遮蔽壁として機能するこれら導光部材２１ｂおよび取付部材６ｄは、図３に示すように、空洞９内で並列にミストが通過する方向Ｄｐと略平行に配置されて、二重の遮蔽壁となっており、ミストが金属微粒子生成部１０に到達するのをより一層効果的に抑制してある。
【００６４】
以上、説明したように、本実施形態では、ケース３内で、金属微粒子生成部１０とミスト生成部１１とを同一空間（空洞９）内に収容し、金属微粒子生成部１０を、ミスト生成部１１で生成されたミストが通過するミスト通過領域Ａｍｉから外して配置した。よって、金属微粒子生成部とミスト生成部とを別個のケースに収容して配置した場合に比べて、より簡素な構成によって、ミストが金属微粒子生成部１０に到達するのを抑制することができる。
【００６５】
また、本実施形態では、金属微粒子生成部１０を、ミスト生成部１１に対して、ミスト通過領域Ａｍｉでミストが通過する方向Ｄｐと略直交する方向Ｄｎに、離間して配置した。よって、ミスト生成部１１から放出されてミスト通過領域Ａｍｉを流下するミストは、金属微粒子生成部１０には到達し難くなる。
【００６６】
また、本実施形態では、ミスト生成部１１をミスト排出口２０ｂに対向させて設けた。よって、ミスト生成部１１から放出されたミストがミスト排出口２０ｂからより速やかに排出されるようになり、その分、当該ミストが金属微粒子生成部１０に到達し難くなる。また、金属微粒子生成部１０を金属微粒子排出口２０ａに対向させて設けたため、金属微粒子は金属微粒子排出口２０ａからより速やかに排出されるようになる。
【００６７】
また、本実施形態では、金属微粒子生成部１０とミスト生成部１１との間の距離Ｄ２を、ミスト生成部１１とカバー２０との間の距離Ｄ１より長くした。よって、ミスト生成部１１から放出されたミストはミスト排出口２０ｂからより一層速やかに排出されるようになり、その分、当該ミストが金属微粒子生成部１０にさらに到達し難くなる。
【００６８】
また、本実施形態では、ケース３に、当該ケース３より導電性が低く当該ケース３とは別部材としてのカバー２０を取り付けた。よって、カバー２０が金属微粒子やミストによって帯電するのを抑制し、ひいては、当該帯電によって金属微粒子生成部１０やミスト生成部１１からの金属微粒子やミストの放出性能が低下するのを抑制することができる。
【００６９】
また、本実施形態では、ミスト生成部１１で生成されたミストが金属微粒子生成部１０に到達するのを抑制する遮蔽壁として、導光部材２１ｂおよび遮蔽壁部６ｅを設けた。よって、これら遮蔽壁を設けた分、ミストがより一層金属微粒子生成部１０に到達し難くなる。
【００７０】
また、本実施形態では、カバー２０と遮蔽壁部６ｅとの間を、電気的に絶縁した。よって、金属微粒子やミストによる電荷がカバー２０を経由して遮蔽壁部６ｅに伝わって当該遮蔽壁部６ｅが帯電し、金属微粒子生成部１０における金属微粒子の放出性能が低下するのを抑制することができる。
【００７１】
また、本実施形態では、カバー２０と遮蔽壁部６ｅの間に間隙ｇ２を形成することで、それらを電気的に絶縁した。このため、カバー２０と遮蔽壁部６ｅとを絶縁する構成を極めて簡素な構成として得ることができる。
【００７２】
また、本実施形態では、遮蔽壁部６ｅを、金属微粒子生成部１０をケース３内に取り付ける取付部材６ｄと一体化させて設けた。よって、取付部材６ｄと遮蔽壁部６ｅとを共用できる分、これらを別個に設ける場合に比べて構成を簡素化することができる。
【００７３】
また、本実施形態では、導光部材２１ｂを上記遮蔽壁として構成した。よって、導光部材２１ｂを有する場合に、当該導光部材２１ｂを有効に利用してミストが金属微粒子生成部１０に到達するのを抑制することができる。
【００７４】
また、本実施形態では、遮蔽壁としての導光部材２１ｂと遮蔽壁部６ｅとを、並列に設けた。よって、遮蔽壁が二重となる分、ミストが金属微粒子生成部１０に到達するのをより一層確実に抑制することができる。
【００７５】
（金属微粒子生成部とミスト生成部のレイアウトの変形例）図４〜図９は、上記第１実施形態の変形例にかかる髪ケア装置の平面図を示すものである。これら図４〜図９にかかる各変形例でも、金属微粒子生成部１０およびミスト生成部１１は同一空間としての空洞９内に収容されており、金属微粒子生成部１０は、ミスト生成部１１で生成されたミストの通過領域Ａｍｉから外れた位置に設けられている。
【００７６】
図４にかかる変形例は、ミスト生成部１１を金属微粒子生成部１０よりも、ミスト通過領域Ａｍｉでミストが通過する方向（ミストが放出される方向）Ｄｐの先方側に配置したものである。かかるレイアウトによれば、金属微粒子生成部１０がミスト生成部１１に対してミストが放出される方向（Ｄｐ）と反対側に位置することになるため、ミスト生成部１１で生成されたミストは金属微粒子生成部１０へはより一層到達し難くなる。なお、図４の変形例にかかるカバー２０Ａでは、金属微粒子およびミストの双方が共通の排出口２０ｄから排出されるようになっている。
【００７７】
図５にかかる変形例は、図４とは逆に、金属微粒子生成部１０をミスト生成部１１よりも、ミスト通過領域Ａｍｉでミストが通過する方向Ｄｐの先方側に配置したものである。また、図６にかかる変形例は、金属微粒子生成部１０で生成した金属微粒子とミスト生成部１１で生成したミストとが、いずれも共通の排出口２０ｄのほぼ中心部に向かうように、金属微粒子通過領域Ａｍｅの中心線とミスト通過領域Ａｍｉの中心線とを相互に交叉するように配置したものである。これらのレイアウトによっても、金属微粒子生成部１０がミスト通過領域Ａｍｉ内に存在しなければ、特段問題は生じない。
【００７８】
図７〜図９にかかる各変形例では、金属微粒子生成部１０をミスト生成部１１に対して、ミストが通過する方向Ｄｐの先方側に配置してある。しかし、これら変形例では、いずれも遮蔽壁２２Ａ，２２Ａ１，２２Ａ２を設けて、ミストが金属微粒子生成部１０に当たるのを阻止している。これら変形例からわかるように、遮蔽壁２２Ａ，２２Ａ１，２２Ａ２は、レイアウトに応じて適宜に変更することができる。すなわち、図７に示すように、遮蔽壁２２Ａを金属微粒子生成部１０の一側方に平板状に形成してもよいし、図８に示すように、遮蔽壁２２Ａ１を金属微粒子生成部１０の一側方から斜め後方を覆うように屈曲させて設けてもよいし、図９に示すように、遮蔽壁２２Ａ２を後方から両側方にかけて取り囲むように形成してもよい。
【００７９】
（第２実施形態）図１０は、本発明の第２実施形態にかかる髪ケア装置としてのヘアドライヤの断面図である。
【００８０】
本実施形態にかかる髪ケア装置としてのヘアドライヤ１Ｂでは、内筒６Ｂの先端側に間隙ｇ３を設けて、空洞９Ｂと風洞４Ｂとを連通させ、空洞９Ｂ内にミスト生成部１１を配置する一方、風洞４Ｂに金属微粒子生成部１０を配置してある。かかる構成では、分岐流Ｗｐは、カバー２０Ｂのミスト排出口２０ｂから排出される分岐流Ｗｐ１と、間隙ｇ３から風洞４Ｂ側に戻る分岐流Ｗｐ２とに分岐される。分岐流Ｗｐ１，Ｗｐ２は、いずれもミストが含まれた空気流となる。
【００８１】
ここで、本実施形態では、金属微粒子生成部１０に対する間隙ｇ３側に遮蔽壁２２Ｂを配置し、この遮蔽壁２２Ｂによって、金属微粒子生成部１０をミスト通過領域（分岐流Ｗｐ２）から外し、ミストが金属微粒子生成部１０に到達するのを抑制してある。
【００８２】
したがって、本実施形態によっても、遮蔽壁２２Ｂを有する比較的簡素な構成によって、金属微粒子生成部１０に対してミスト生成部１１で生成されたミストによる悪影響が及ぶのを抑制することができる。
【００８３】
（第３実施形態）図１１は、本発明の第３実施形態にかかる髪ケア装置としてのヘアドライヤの正面図である。
【００８４】
本実施形態にかかる髪ケア装置としてのヘアドライヤ１Ｃでは、ケース３Ｃの外筒３ａ内の空洞９Ｃで、内筒６（図１参照）を挟んで金属微粒子生成部１０とミスト生成部１１とを設けてある。金属微粒子生成部１０は、図１１の視線で、ケース３Ｃに形成された貫通孔３ｂに嵌め込まれたカバー２０Ｃ１の背後の比較的近接した位置に配置され、ミスト生成部１１は、図１１の視線で、ケース３Ｃに形成された貫通孔３ｃに嵌め込まれたカバー２０Ｃ２の背後の比較的近接した位置に配置されている。
【００８５】
したがって、本実施形態によっても、内筒６を挟んで金属微粒子生成部１０とミスト生成部１１とを配置するという比較的簡素な構成によって、金属微粒子生成部１０に対してミスト生成部１１で生成されたミストによる悪影響が及ぶのを抑制することができる。
【００８６】
（第４実施形態）図１２は、本発明の第４実施形態にかかる髪ケア装置としてのヘアブラシの断面図である。
【００８７】
本実施形態にかかる髪ケア装置としてのヘアブラシ１Ｄは、棒状に形成されており、使用者が把持部１ｆを持って先端部１ｇに設けられたブラシ部２３を髪に当てて整髪する（髪を梳かす）ものである。ブラシ部２３には、複数のブリッスル２３ａが突設されている。
【００８８】
外壁をなすケース３Ｄは、複数の分割体を継ぎ合わせて構成されており、その内部には空洞が形成され、この空洞内に、各種電気部品が収容されている。
【００８９】
また、把持部１ｆのブラシ部２３に近い部分には、膨出した形状の外壁をなすカバー２０Ｄが取り付けられており、このカバー２０Ｄとケース３Ｄとによって形成される空洞９Ｄ内に、金属微粒子生成部１０とミスト生成部１１とが収容されている。カバー２０Ｄには、ブリッスル２３ａに向けて開放された排出口２０ｄが形成され、金属微粒子生成部１０で生成された金属微粒子ならびにミスト生成部１１で生成されたミストは、この排出口２０ｄから外部に放出され、髪や地肌に作用することになる。なお、金属微粒子生成部およびミスト生成部１１には、回路部２４から電圧が印加される。
【００９０】
さらに、本実施形態では、使用者の帯電によって金属微粒子の放出が阻害されるのを抑制するため、把持部１ｆの表面にチャージ部２５を露出させてある。チャージ部２５は、放出される金属微粒子およびミストの極性と逆の極性（例えば金属微粒子およびミストのマイナスイオンが放出される構成の場合にはプラス）に帯電され、使用者は、このチャージ部２５を握ることで、当該逆の極性に帯電される。なお、チャージ部２５の少なくとも最外層は絶縁性材料で構成されている。
【００９１】
そして、本実施形態でも、ミスト生成部１１で生成されたミストが金属微粒子生成部１０に到達するのを抑制するため、図８の変形例と同様の遮蔽壁２２Ｄを設けてある。
【００９２】
したがって、本実施形態によっても、遮蔽壁２２Ｄを有する比較的簡素な構成によって、金属微粒子生成部１０に対してミスト生成部１１で生成されたミストによる悪影響が及ぶのを抑制することができる。
【００９３】
（第５実施形態）図１３は、本発明の第５実施形態にかかる髪ケア装置としてのヘアブラシの断面図である。
【００９４】
本実施形態にかかる髪ケア装置としてのヘアブラシ１Ｅは、基本的には上記第４実施形態にかかるヘアブラシ１Ｄと同様の構成要素を備えている。
【００９５】
ただし、本実施形態では、空洞９Ｄに空気流Ｗを生じさせるファン５Ｅおよびこのファン５Ｅを回転させるモータ７Ｅを設け、金属微粒子生成部１０で生成した金属微粒子ならびにミスト生成部１１で生成したミストを、分岐流Ｗｐに乗せて排出できるようにした点が、上記第４実施形態と相違している。
【００９６】
本実施形態では、送風機構としてのモータ７Ｅおよびファン５Ｅは、ケース３Ｅ内に形成される空洞内に収容されている。モータ７Ｅは回路部２４に含まれる駆動回路によって回転駆動される。ケース３Ｅの基端側（図１３では下側）には空気の導入口となる開口部１ｈが形成されており、ファン５Ｅが回転すると、空気が外部から開口部１ｈを介して空洞９Ｄ内に流入し、当該空洞９Ｄ内を通って排出口２０ｄからブラシ部２３に向けて排出される空気流Ｗが形成されるとともに、ブラシ部２３のブリッスル２３ａの根元に形成された吹出孔２３ｂからも空気が吹き出される。なお、本実施形態では、電源コード２を介して電気部品に電力が供給されるようになっている。
【００９７】
以上の本実施形態によっても、上記第４実施形態と同様に、遮蔽壁２２Ｄを有する比較的簡素な構成によって、金属微粒子生成部１０に対してミスト生成部１１で生成されたミストによる悪影響が及ぶのを抑制することができる。
【００９８】
（第６実施形態）図１４，図１５は、本発明の第６実施形態を示しており、このうち、図１４は、本実施形態にかかる髪ケア装置としてのヘアアイロンの側面図、図１５は、図１４のXV−XV断面図である。
【００９９】
図１４に示すように、本実施形態にかかる髪ケア装置としてのヘアアイロン１Ｆは、回動連結部１ｋを介して略Ｖ字状に拡開可能な二つのアーム部１ｉ，１ｊを備えており、それらアーム部１ｉ，１ｊの先端側の挟持部２６に髪を挟み込んで加熱部２７で加熱して整髪するものである。
【０１００】
図１５に示すように、外壁をなすケース３Ｆの内部には空洞が形成され、この空洞内に、各種電気部品が収容されている。
【０１０１】
アーム部１ｉのケース３Ｆの、挟持部２６に対して回動連結部１ｋ側に隣接する部分には、相反する方向（図１５の左右方向）に張り出す外壁をなす一対のカバー２０Ｆ１，２０Ｆ２が取り付けられており、このカバー２０Ｆ１，２０Ｆ２とケース３Ｆとによって形成される空洞９Ｆ内に、金属微粒子生成部１０とミスト生成部１１とが収容されている。金属微粒子生成部１０は、カバー２０Ｆ１内に収容されており、金属微粒子はカバー２０Ｆ１に形成された金属微粒子排出口２０ａから放出される。一方、ミスト生成部１１は、カバー２０Ｆ２内に収容されており、ミストはカバー２０Ｆ２に形成されたミスト排出口２０ｂから放出される。
【０１０２】
金属微粒子生成部１０およびミスト生成部１１は、同一空間としての空洞９Ｆ内に配置されているものの、互いに離間して配置されている上、ミスト生成部１１は、カバー２０Ｆ２のミスト排出口２０ｂに比較的近接した位置で対向して配置されており、しかもミストの排出方向が、空洞９Ｆの中心部から離間する方向に設定されているため、図１５からも明らかとなるように、金属微粒子生成部１０は、ミスト生成部１１からのミスト通過領域Ａｍｉから外した位置に比較的容易に配置することができる。
【０１０３】
すなわち、本実施形態では、アーム部１ｉの中心部を挟む両側に金属微粒子生成部１０とミスト生成部１１とを配置するという比較的簡素な構成によって、金属微粒子生成部１０に対してミスト生成部１１で生成されたミストによる悪影響が及ぶのを抑制することができる。
【０１０４】
以上、本発明の好適な実施形態について説明したが、本発明は上記実施形態には限定されず、種々の変形が可能である。例えば、金属微粒子生成部およびミスト生成部は、上記各実施形態および変形例と左右逆転して配置することができる。また、ミスト生成部の取付部材に遮蔽壁部を一体化させてもよい。また、排出口をケースと別体のカバーに設けることは必須ではなく、排出口をケースに設けてもよい。さらに、外壁と遮蔽壁との間に間隙を形成するのに替えて、それらの間に絶縁部材を介在させてもよい。
【図面の簡単な説明】
【０１０５】
【図１】本発明の第１実施形態にかかる髪ケア装置としてのヘアドライヤの断面図である。
【図２】本発明の第１実施形態にかかる髪ケア装置としてのヘアドライヤを出口開口側から見た正面図である。
【図３】本発明の第１実施形態にかかる髪ケア装置としてのヘアドライヤの本体部内で金属微粒子生成部とミスト生成部が設けられる部分を拡大して示す平面図である。
【図４】本発明の第１実施形態の第１の変形例にかかる髪ケア装置としてのヘアドライヤの本体部内で金属微粒子生成部とミスト生成部が設けられる部分を拡大して示す平面図である。
【図５】本発明の第１実施形態の第２の変形例にかかる髪ケア装置としてのヘアドライヤの本体部内で金属微粒子生成部とミスト生成部が設けられる部分を拡大して示す平面図である。
【図６】本発明の第１実施形態の第３の変形例にかかる髪ケア装置としてのヘアドライヤの本体部内で金属微粒子生成部とミスト生成部が設けられる部分を拡大して示す平面図である。
【図７】本発明の第１実施形態の第４の変形例にかかる髪ケア装置としてのヘアドライヤの本体部内で金属微粒子生成部とミスト生成部が設けられる部分を拡大して示す平面図である。
【図８】本発明の第１実施形態の第５の変形例にかかる髪ケア装置としてのヘアドライヤの本体部内で金属微粒子生成部とミスト生成部が設けられる部分を拡大して示す平面図である。
【図９】本発明の第１実施形態の第６の変形例にかかる髪ケア装置としてのヘアドライヤの本体部内で金属微粒子生成部とミスト生成部が設けられる部分を拡大して示す平面図である。
【図１０】本発明の第２実施形態にかかる髪ケア装置としてのヘアドライヤの断面図である。
【図１１】本発明の第３実施形態にかかる髪ケア装置としてのヘアドライヤの正面図である。
【図１２】本発明の第４実施形態にかかる髪ケア装置としてのヘアブラシの断面図である。
【図１３】本発明の第５実施形態にかかる髪ケア装置としてのヘアブラシの断面図である。
【図１４】本発明の第６実施形態にかかる髪ケア装置としてのヘアアイロンの側面図である。
【図１５】図１４のXV−XV断面図である。
【符号の説明】
【０１０６】
１，１Ｂ，１Ｃ  ヘアドライヤ（髪ケア装置）
１Ｄ，１Ｅ  ヘアブラシ（髪ケア装置）
１Ｆ  ヘアアイロン（髪ケア装置）
３，３Ｃ，３Ｄ，３Ｅ，３Ｆ  ケース（外壁）
６ｄ  取付部材
６ｅ  遮蔽壁部（遮蔽壁、第二の遮蔽壁）
９，９Ｂ，９Ｃ，９Ｄ，９Ｆ  空洞（空間）
１０  金属微粒子生成部
１１  ミスト生成部
２０，２０Ａ，２０Ｂ，２０Ｃ１，２０Ｃ２，２０Ｄ，２０Ｆ１，２０Ｆ２  カバー（外壁）
２０ａ  金属微粒子排出口
２０ｂ  ミスト排出口
２１ａ  光源
２１ｂ  導光部材（遮蔽壁）
２２Ａ，２２Ａ１，２２Ａ２，２２Ｂ，２２Ｄ  遮蔽壁
Ａｍｉ  ミスト通過領域
Ｄ１  ミスト生成部とカバーとの距離
Ｄ２  ミスト生成部と金属微粒子生成部との距離
Ｄｎ  方向Ｄｐと直交する方向
Ｄｐ  ミストが通過する方向
ｇ２  間隙
Ｗｐ２  分岐流（ミスト通過領域）
【図１】
2010125165.tif 000003
【図２】
2010125165.tif 000004
【図３】
2010125165.tif 000005
【図４】
2010125165.tif 000006
【図５】
2010125165.tif 000007
【図６】
2010125165.tif 000008
【図７】
2010125165.tif 000009
【図８】
2010125165.tif 000010
【図９】
2010125165.tif 000011
【図１０】
2010125165.tif 000012
【図１１】
2010125165.tif 000013
【図１２】
2010125165.tif 000014
【図１３】
2010125165.tif 000015
【図１４】
2010125165.tif 000016
【図１５】
2010125165.tif 000017